(57)【要約】【課題】  本発明は画像データの縦横比に応じて印刷用紙の大きさを調整し、縦横比に応じた用紙サイズで出力することが可能な印刷装置を提供するものである。【解決手段】  本発明は画像データを横長のものでなければ回転して横長とし、印刷用紙の横幅に合わせて拡大、縮小すると共に、縦幅（高さ方向）は可変の長さとして切断するロール紙を用いて印刷を行う印刷装置であり、所定長の印刷単位を設け、例えば高さ方向に３乃至４ユニットで切断して印刷するか、印刷部分の境界線で切断し（余白部分も切断し）、ユニット単位で複数色のインクリボンを用いて行う。【選択図】  図３
2005103809.tif 000002
【特許請求の範囲】
【請求項１】
記憶媒体を挿入して画像を印刷する印刷装置において、
前記画像の縦横長を識別する識別手段と、
該識別結果から前記画像の縦長が横長より長い時、前記画像を９０度回転処理する回転手段と、
該回転後の画像を印刷する印刷処理手段と、
を有することを特徴とする印刷装置。
【請求項２】
記憶媒体を挿入して画像を印刷する印刷装置において、
前記画像の縦横長を識別する識別手段と、
該識別結果から前記画像の縦長が用紙の幅より長い時、前記画像を縮小処理する縮小手段と、
該縮小後の画像を印刷する印刷処理手段と、
を有することを特徴とする印刷装置。
【請求項３】
記憶媒体を挿入して画像を印刷する印刷装置において、
前記画像の縦横長を識別する識別手段と、
該識別結果から前記画像の縦長が用紙の幅より短い時、前記画像を拡大処理する拡大手段と、
該拡大後の画像を印刷する印刷処理手段と、
を有することを特徴とする印刷装置。
【請求項４】
前記用紙はロール紙であり、該ロール紙の幅に対して１／４の長さ毎に単位長を設定し、３単位長を基準に前記画像の印刷を行い、３単位長毎に前記ロール紙を切断することを特徴とする請求項１、２、又は３記載の印刷装置。
【請求項５】
前記用紙はロール紙であり、該ロール紙の幅に対して１／４の長さ毎に単位長を設定し、４単位長を基準に前記画像の印刷を行い、該４単位長に満たない余白部が切断されることを特徴とする請求項１、２、又は３記載の印刷装置。
【請求項６】
複数の異なる基本色が順次繋がったインクリボンにより各基本色毎の印字をロール紙に対して繰り返し重ね印字してカラー印刷を行う印刷装置において、
前記インクリボンは、印刷出力される単位画面の一辺と略等しい幅を有し、前記単位画面の他辺の略１／Ｎの長さを有する各基本色毎の単位インク面が順次所定の順番に繰り返し繋がって構成されることを特徴とする印刷装置。
【発明の詳細な説明】
【技術分野】
【０００１】
本発明は、多種類の大きさの画像を適切な用紙の大きさで印刷する印刷装置に関し、例えば連続紙を切り取りながら印刷処理を行う印刷装置に関する。
【背景技術】
【０００２】
今日、印刷装置による印刷処理は、定形の用紙に印刷を行う場合が主流である。しかし、最近印刷を行う画像の中には、新たなサイズの画像の印刷を必要とする場合もある。例えば、デジタルスチルカメラで撮影した画像は、通常サイズが６４０ドット×４８０ドットや、１２８０ドット×９６０ドット、又は２４００ドット×１８００ドットであり、横縦のサイズ比が４：３である場合が多い。しかし、所謂カメラ付き携帯電話機の中には上記以外のサイズ比である写真画像も多い。例えば、１２０ドット×１２０ドット、２８８ドット×３５２ドット、１７６ドット×１４４ドット等である。
【０００３】
さらに今後、サイズ比が４：３以外の様々な写真画像の撮影が可能な撮像手段も提案されると考えられる。したがって、このような撮像手段に対応した印刷装置が必要になる。
ここで、上記技術に関連して、特許文献１及び特許文献２が存在する。特許文献１は複数の画像を記録紙上に配置して印刷する印刷システムであり、記録紙内の任意の位置と任意のサイズで画像を複数配置できるモードと、記録紙内の画像サイズ及び位置が固定の複数のモードを持つ印刷システムである。
【０００４】
また、特許文献２は同一幅のロール紙から様々なサイズの印刷物を印刷する印刷システムを開示する発明であり、画像形成部によりロール紙の幅方向に複数の画像を並べて形成し、切断部により各画像毎に切り離して複数の印刷物を得る。
【特許文献１】特開２００２−８６８３３号公報
【特許文献２】特開２００２−１３７４８３号公報
【発明の開示】
【発明が解決しようとする課題】
【０００５】
しかしながら、印刷装置の出力サイズの主流はやはり横縦比が４：３である。この為、それ以外の比の画像を定形の用紙に打ち出す場合、余白ができるか、又は上下、左右がトリミングされた画像、つまり切り取られた画像になることが多い。したがって、様々なサイズ比に対応する為、様々なサイズの用紙を用意する必要があり、コストアップの原因になる。
【０００６】
また、ロール紙を使用することによって、固定長の用紙幅と可変長の用紙長による様々なサイズ比の印刷処理に対応可能となる。しかし、連続印刷の為最も長いインクリボンのパターンを用意する必要があり、また用紙の残量枚数を管理、把握することが難しい。
【課題を解決するための手段】
【０００７】
上記課題は、本発明によれば、記憶媒体を挿入して画像を印刷する印刷装置において、前記画像の縦横長を識別する識別手段と、該識別結果から前記画像の縦長が横長より長い時、前記画像を９０度回転処理する回転手段と、該回転後の画像を印刷する印刷処理手段とを有する印刷装置を提供することによって達成できる。
【０００８】
このように構成することにより、縦幅が横幅より長い画像であっても当該画像を９０度回転処理することによって、例えば一定幅の用紙を使用して印刷することができる。
また、上記課題は本発明によれば、記憶媒体を挿入して画像を印刷する印刷装置において、前記画像の縦横長を識別する識別手段と、該識別結果から前記画像の縦長が用紙の幅より長い時、前記画像を縮小処理する縮小手段と、該縮小後の画像を印刷する印刷処理手段とを有する印刷装置を提供することによって達成できる。
【０００９】
このように構成することにより、例えばロール紙のような一定幅の用紙であっても、画像の縦幅を用紙の幅に合うように縮小処理し、同じ用紙を使用して画像印刷を行うことができる。
また、上記課題は本発明によれば、記憶媒体を挿入して画像を印刷する印刷装置において、前記画像の縦横長を識別する識別手段と、該識別結果から前記画像の縦長が用紙の幅より短い時、前記画像を拡大処理する拡大手段と、該拡大後の画像を印刷する印刷処理手段とを有する印刷装置を提供することによって達成できる。
【００１０】
このように構成することにより、例えばロール紙のような一定幅の用紙であっても、画像の縦幅を用紙の幅に合うように拡大処理し、同じ用紙を使用して画像印刷を行うことができる。
さらに、前記用紙はロール紙であり、該ロール紙の幅に対して１／４の長さ毎に単位長を設定し、３単位長を基準に前記画像の印刷を行い、３単位長毎に前記ロール紙を切断する構成である。
【００１１】
また、前記用紙はロール紙であり、該ロール紙の幅に対して１／４の長さ毎に単位長を設定し、４単位長を基準に前記画像の印刷を行い、該４単位長に満たない余白部は切断する構成である。
数回繰返して継ぎ足し印刷する。
【００１２】
さらに、上記課題は、本発明によれば、複数の異なる基本色が順次繋がったインクリボンにより各基本色毎の印字をロール紙に対して繰り返し重ね印字してカラー印刷を行う印刷装置において、前記インクリボンは、印刷出力される単位画面の一辺と略等しい幅を有し、前記単位画面の他辺の略１／Ｎの長さを有する各基本色毎の単位インク面が順次所定の順番に繰り返し繋がって構成される印刷装置を提供することによって達成できる。
【００１３】
このように構成することにより、縦横比がイレギュラーな画像に対しても柔軟に対応して印刷処理を行うことができるとともに、そのような画像を印刷しても、インクリボンを無駄に消費することがない印刷装置を提供することができる。ここで、前記「Ｎ」は、整数が好ましく、整数の場合、インクリボンに無駄を生じさせることなく消費することができる。
【発明の効果】
【００１４】
本発明によれば、縦横比との関係から印刷する単位をロール紙の送り方向で１枚分の３分の１に設定し、印刷サイズを調整できる部分で標準サイズやある程度のサイズ比の非定形サイズの両方に１種類のロール紙で対応が可能である。また、残量枚数は枚数と単位で管理できるのでデジタル量で管理が可能となる。
【発明を実施するための最良の形態】
【００１５】
以下、本発明の実施の形態を図面を参照しながら説明する。
図１は、本実施形態の印刷装置の外観図である。印刷装置１０は表示部１１、操作ボタン１２、紙幣挿入口１３、硬貨挿入口１４を備えている。また、記録媒体挿入口１８として、コンパクトフラッシュ（登録商標）挿入口１８ａ、スマートメディア（登録商標）挿入口１８ｂ、メモリスティック（登録商標）挿入口１８ｃ、ＰＣカード挿入口１８ｄ、フロッピー（登録商標）ディスク挿入口１８ｅが順次縦に並んで配設されている。尚、１６はつり銭口であり、１７は印刷物の取り出し口である。
【００１６】
図２は、上記外観構成の印刷装置１０の内部構造を示す図であり、特に印刷機構を示す断面図である。印刷カートリッジ２４を中心に構成される。印刷カートリッジ２４は（昇華型）熱転写式のものである。連続印刷用紙であるロール紙２７、インクリボン２８はロール状にそれぞれ装填されている。回転ガイド３１にガイドされ、引き出されたロール紙２７ａは、引き出されたインクリボン２８ａと共に、印刷カートリッジ２４とプラテンローラ３０の間に送りこまれる。
【００１７】
そして、印刷カートリッジ２４の熱転写によりインクリボン２８のインクがロール紙２７ａに印刷される。ロール紙２７ａは、回転ガイド３３と回転ガイド３４の間を通り、さらに平行ガイド４４ａ、４４ｂの間を送られる。その後、ロール紙２７ａは切り取り具４５ａ、４５ｂによって切断される。
【００１８】
一方、インクリボンａ２８は、印刷後回転ガイド３５にガイドされ、巻取りロール２９に送られ、巻取りロール２９に巻装される。
図３は上記印刷装置１０の制御ブロック図である。印刷部５０、制御部５１、入力部５２で構成されている。印刷部５０は前述のロール紙２７及びインクリボン２８を使用して印刷処理を行い、ロール紙２７の切断等の処理も行う。
【００１９】
制御部５１は画像データを加工し、印刷部５０による印刷処理の制御を行う。制御部５１は演算部５３及び記憶部５４で構成されている。入力部５２は、画像データ等の入力処理を行い、前述の各種記憶媒体挿入口１８ａ〜１８ｅから取り込まれた画像データの入力処理を行う入力装置５２ａと、利用者が行う操作に基づくユーザインタフェース経由のデータ取り込み処理を行う入力装置５２ｂで構成されている。
【００２０】
次に、図４を用いてロール紙２７の単位分割例を説明する。ロール紙２７の送り方向に単位長つまり１ユニットごとに点線が引かれている。この点線で区切られた幅が印刷するときの１単位の幅、１ユニットの幅である。１ユニットの幅の４倍を印刷画面幅：Ｗｐとしている。尚、同図は例示であり、実際の用紙には、点線部分に点線があるわけではない。
【００２１】
また、図４の下部にインクリボンパターンを示し、同図に示すＹ，Ｍ，Ｃ，Ｂは、イエロー、マゼンダ、シアン、ブラックの各色を表している。（尚、イエロー、マゼンダ、シアンは、印刷の基本色である。）上記４色を１組として単位幅、つまり１ユニットの幅分を印刷する。尚、ブラック（Ｋ）は、オーバコート材（ＯＣ）で構成してもよい。
【００２２】
図５は、ロール紙２７ａの印刷例である。また、図５は図４の上部の一部を拡大して示したものであり、標準サイズの場合の用紙の例、特に縦幅を示すものである。標準サイズは、横縦比＝４／３の標準サイズ：Ｌ判である。すなわち、横が１２７ｍｍであり、縦が８９ｍｍの大きさである。
【００２３】
この場合、インクリボン２８で印刷される部分に色が付いていおり（但し、同図では色付き部分を網点で示し）、縦は３ユニット分の幅の用紙となる。印刷装置は、長点線のところで切断して出力する。
図６は、ロール紙２７ａに対する他の印刷例である。また、同図も図４の上部を拡大して示したものである。定形外用紙の場合、特に縦幅を示すものである。このときの定形外サイズは横縦比＝１以上４／３未満である。この場合、印刷部分はユニットの途中で区切れることになる。本例では、４ユニット目の途中で区切れている。
【００２４】
インクリボンで印刷される部分は色が付いている（網掛け部分）である。縦は、３ユニット以上４ユニット未満の幅の印刷部分である。格子縞の部分は余白の部分である。印刷装置は、印刷部分を長点線のところで切断して出力する。さらに、余白部分をユニットの区切りの長点線のところで切断して出力する。
【００２５】
次に、図７に画像の例及び変形例を示す。印刷解像度３３０ｄｏｔｓ／ｉｎｃｈの例である。画像のドット構成、印刷画像の大きさ、横縦比、用紙幅に合わせた変形後の大きさを各例で示している。ａの場合、画像データを縦横それぞれ約１．７２倍拡大して印字する。ｂの場合、画像データを縦横それぞれ約３．４４倍拡大して印字する。
【００２６】
図８にロール用紙２７ａとその印刷部分の例を示す。図７のｅのものであり、印刷装置の印刷解像度３３０ｄｏｔｓ／ｉｎｃｈで、２８８ｄｏｔ×３５２ｄｏｔのものの拡大後である。印刷画像が２２．２ｍｍ×２７．１ｍｍで横縦比９：１１のものを用紙幅に合わせて拡大し変形後の１２７ｍｍ×１５５．２ｍｍとなったものである。画像データを横縦それぞれ約５．７２倍拡大したものである。
次に、図９及び図１０に示すフローチャートを用いて本例の処理動作を説明する。
【００２７】
図９は、画像データを１枚分印刷するときの画像データを読み取ってから出力するまでの処理を示すフローチャートである。印刷の縦もしくは高さ方向の１単位の幅、１ユニットの幅、１使用単位数をＵ＝１とする。また、幅の単位、ユニットをｕで示す。尚、同図に示す処理は前述の制御部５１が実行する処理である。
【００２８】
先ず、画像データの読み取り処理を行う（ステップ（以下、Ｓで示す）１）。この処理は、前述の記録媒体挿入口１８に装着された記録媒体から印刷データを読み出し、制御部５１に取り込む処理である。
次に、取り込まれた印刷データは制御部５１において、演算処理が行われる（Ｓ２）。この処理は、演算部５３によって実行され、上記のように読み出されたデータから画像の幅又は横幅Ｗｄ、及び画像データの高さ又は縦幅Ｈｄの情報が取得される。この画像の横幅及び縦幅のドット構成或いは解像度などの情報は、カメラ側で生成されたものが個々の画像データに対して付加情報として添付されており、これを制御部５１が認識し用いることができる。
【００２９】
次に、演算部５３は取得した画像データの横幅Ｗｄと縦幅Ｈｄのデータを比較する（Ｓ３）。そして、画像データの横幅Ｗｄが縦幅Ｈｄより長い時（Ｓ３がＮＯ）、次の処理に移行するが、画像データの縦幅Ｈｄが横幅Ｗｄより長い時（Ｓ３がＹＥＳ）、画像データの縦横の向きを変更する（Ｓ４）。すなわち、画像データの横縦比を４：３に設定する為、画像データの縦横の向きを９０度回転させる。
【００３０】
この処理を説明する図が図１１であり、例えば点線で示す画像データ（横幅Ｗｄ、縦幅Ｈｄ）を９０度回転させ、実線で示す縦幅Ｗｐ、横幅Ｈｐの画像に変換する。
次に、画像データの横幅Ｗｄと印刷画面幅Ｗｐが等しいか判断する（Ｓ５）。ここで、画像データの横幅Ｗｄと印刷画面幅Ｗｐが同じであれば（Ｓ５がＹｅｓ）、次の処理に移行するが、同じでなければ（Ｓ５がＮｏ）、画像データが印刷面に収まるようサイズ調整を行う（Ｓ６）。
【００３１】
図１２は本例のサイズ調整を説明する図である。尚、同図において、印刷画面幅を同図に実線で示すＷｐ、印刷画面高さを実線で示すＨｐとする。そして、縮小前の画像データ幅をＷｄ２、画像データ高さをＨｄ２で示す。また、拡大前の画像データ幅をＷｄ３で示し、画像データ高さをＨｄ３で示す。
【００３２】
ここで、印刷画面に合わせて拡大処理、又は縮小処理を行う。例えば、縮小処理の場合は、画像データの幅Ｗｄ２を印刷画面幅Ｗｐに縮小する。その割合で画像データの高さも変化させる。つまり、Ｈｄ２をＨｐにする。
次に、調整した画像データの横縦比であるＲｄを算出する（Ｓ７）。すなわち、横縦比Ｒｄ＝Ｗｄ’／Ｈｄ’を計算する。そして、この画像データの横縦比Ｒｄが４／３であるか判断し（Ｓ８）、横縦比Ｒｄが４／３である時（Ｓ８がＹＥＳ）、当該画像データの印刷処理を行う（Ｓ９）。この場合、Ｒｄ＝４／３であり、ロール紙２７の高さ３ユニット、つまりＵ＝３の印刷処理を行う。前述の図５はこの例を示し、ロール紙２７の３ユニット分を使用する。
【００３３】
一方、横縦比Ｒｄが４／３ではない時（Ｓ８がＮＯ）、画像データの横縦比Ｒｄが、１≦Ｒｄ＜４／３であるか判断する（Ｓ１０）。ここで、横縦比Ｒｄが１≦Ｒｄ＜４／３の場合（Ｓ１０がＹＥＳ）、ロール紙２７の４ユニット分（Ｕ＝４）を使用する印刷処理を行う（Ｓ１１）。この場合、図６に示すようにロール紙２７ａに余白ができるので、印刷部分と余白の境界位置でロ−ル紙２７ａを切断する（Ｓ１２）。尚、切断する縦方向の位置は、後述する画像データのｐｅ（５）である。
【００３４】
また、横縦比ＲｄがＲｄ＞４／３の場合（Ｓ１０がＮＯ）、ロール紙２７ａの高さが３ユニット（Ｕ＝３）の印刷処理を行う（Ｓ１３）。この場合、横幅が印刷画面幅Ｗｐに合わせてあり、４／３＜Ｒｄなので高さは３よりも小さく縮小されている場合である。よって、縦もしくは高さ方向にＵ＝３の３ユニットの印刷では余白ができる横長の画像が印刷される。
【００３５】
次に、印刷処理が終了すると、１ユニットの境界線に当たる位置でロール紙２７ａを切断する（Ｓ１４）。尚、印刷部分境界が１ユニットの境界線でない場合、間近の境界線の位置で切断をする。その後、印刷に使用したロール紙２７ａのユニット数を計測し、使用量、残量を管理する（Ｓ１５）。
【００３６】
次に、図１０に示すフローチャートを用いて印刷処理の詳細を説明する。先ず、上述の横縦比Ｒｄにより決定したユニット数である使用印刷単位の数ｕを読み取る（ステップ（以下、ＳＴで示す）１、２）。そして、読み取ったユニット数ｕが３であるかを判断する（ＳＴ３）。ここで、ｕ＝３であれば処理（ＳＴ４）に移行し、ｕ＝３でなければ処理（ＳＴ５）に移行し、ユニット数ｕが４であるかを判断する。
【００３７】
ここで、ｕ＝３である場合、上記処理（ＳＴ４）を実行し、高さ方向のユニット単位の印刷開始位置及び印刷終了位置の値を同図に示す通り計算し、設定する。尚、同図に示すｐｓ（１）、ｐｓ（２）、ｐｓ（３）は印刷開始位置を示し、ｐｅ（１）、ｐｅ（２）、ｐｅ（３）は印刷終了位置を示し、ｐｅ（３）には印刷画面高さＨｐのデータが入力される。
【００３８】
一方、ｕ＝４である場合、上記処理（ＳＴ６）を実行し、高さ方向のユニット単位の印刷開始位置及び印刷終了位置の値を同図に示すとおり計算し、設定する。尚、印刷画面幅Ｗｐを４等分したものが１ユニットの幅であり、ｐｓ（１）、ｐｓ（２）、ｐｓ（３）、ｐｓ（４）は印刷開始位置を示し、ｐｅ（１）、ｐｅ（２）、ｐｅ（３）、Ｐｅ（５）は印刷終了位置を示す。
【００３９】
次に、処理（ＳＴ７）を実行し、例えばユニットｉ番目の処理をユニット数のｕまで行う。この間、先ずインクリボンの色がイエロー（Ｙ）であるか判断し（ＳＴ８）、イエロー（Ｙ）でなければ（ＳＴ８がＮＯ）、インクリボンの印刷する色を次のＹ：イエローまで移動する（ＳＴ９）。この場合、他の色の場合、それらをとばして次のイエロー（Ｙ）の位置に移動して、インクリボンの位置調整を行う。
【００４０】
一方、イエロー（Ｙ）であれば、ｊを色の変数として、後述するＳＴ１１以降の処理を各色ごとに行う（ＳＴ８がＹＥＳ、ＳＴ１０）。尚、色の変更は、インクリボンに並んでいる順番に変える。例えば、処理（ＳＴ１１）では、プリンタヘッダの印刷開始位置を設定する。例えば、ｐｓ（ｉ）の位置に設定する。また、処理（ＳＴ１２）では、単位ユニットの幅の印刷を行う。
【００４１】
次に、ｊ＝Ｂであるか判断する（ＳＴ１３）。色がＢ：ブラックであるかを判断し、色がブラックであれば、ユニット（Ｕ）の番号を判断する。そして、例えば、最後のユニット数であれば、印刷処理を終了する（ＳＴ１４がＹＥＳ）。
以上が印刷処理の詳細のフローチャートの説明である。図１０の印刷処理は、ｊのループで１ユニット分の領域をインクリボンパターンの色数分だけ繰返して印刷し、これを印刷単位のユニット（ｕ）数分だけｉのループで繰返して、１枚１ｕ＊３あるいは１ｕ＊４の印刷を行っている。尚、ユニットの繰り返し回数は、印刷する画像の形に応じて適宜変更される。即ち、１辺が長い画像に対しては、ユニットを５単位以上繰り返して印刷することも可能である。
【００４２】
尚、細分化した幅部分の単位は、副走査長でもよい。小サイズ画像の印刷に要する副走査長を基準に設定したインクリボン２８の単位幅で印刷する。この副走査長の幅より、大きい画像に対しては単位長の記録を複数回繰り返して全体の画像を印刷する。つまり、インクリボン２８などの印刷材を細分化し、印刷を複数回繰り返し行い継ぎ足し印刷を行う印刷装置でもよい。種々の大きなサイズの印刷を可能にするとともに、インクリボン２８の無駄になる部分を極力少なくすることができる。
【図面の簡単な説明】
【００４３】
【図１】本発明の印刷装置の外観図である。
【図２】本発明の印刷装置内部の断面図である。
【図３】本発明の印刷装置の回路ブロック図である。
【図４】本発明のロール紙の単位分割例である。
【図５】本発明のロール紙の印刷部分例である。
【図６】本発明のロール紙の他の印刷部分例である。
【図７】本発明の画像の例及び変形例である。
【図８】本発明のロール紙の印刷部分の例である。
【図９】１枚分印刷するときのフローチャートである。
【図１０】印刷処理の詳細のフローチャートである。
【図１１】本発明の画像の方向の変更を示す例である。
【図１２】本発明の画像の大きさの縮小・拡大の説明を補足する例である。
【符号の説明】
【００４４】
１０    印刷装置
１１    表示装置
１２    操作ボタン
１３    紙幣挿入口
１４    硬貨挿入口
１６    つり銭口
１７    商品取り出し口
１８ａ    コンパクトフラッシュ（登録商標）挿入口
１８ｂ    スマートメディア挿入口
１８ｃ    メモリスティック挿入口
１８ｄ    ＰＣカード挿入口
１８ｅ    フロッピー（登録商標）ディスク挿入口
２４    印刷カートリッジ
２７、２７ａ    ロール紙
２８    インクリボン
３０、３１、３２、３３、３４、３５    回転ガイド
４５ａ、４５ｂ    切り取り具
５０    印刷部
５１    制御部
５２    入力部
５２ａ、５２ｂ    入力装置
５４    記憶部
【図１】
2005103809.tif 000003
【図２】
2005103809.tif 000004
【図３】
2005103809.tif 000005
【図４】
2005103809.tif 000006
【図５】
2005103809.tif 000007
【図６】
2005103809.tif 000008
【図７】
2005103809.tif 000009
【図８】
2005103809.tif 000010
【図９】
2005103809.tif 000011
【図１０】
2005103809.tif 000012
【図１１】
2005103809.tif 000013
【図１２】
2005103809.tif 000014